(57)【要約】  【課題】  画面の大型化や薄型化、高輝度化になっても、ハレーションが発生しにくい陰極線管を提供する。  【解決手段】  垂直偏向方向に対向して配置された略台形状の一対の長辺側斜面部と、水平偏向方向に対向して配置された一対の短辺側斜面部とを有する陰極線管用の内部磁気シールド１３０において、短辺側斜面部１３２ａに開口部１３６ａを設ける。この開口部１３６ａはエレクトロンシールド板１２２ａで１次反射された電子ビーム５を、そのまま当該枠外へ通過させる位置に設けられる。【選択図】  図５
2005158468.tif 000002
【特許請求の範囲】
【請求項１】
電子銃から蛍光体スクリーンに向けて射出される電子ビームを、有効画面領域を超えてオーバースキャンさせる陰極線管であって、
前記電子ビームの通過領域を囲む内部磁気シールド枠体と、
前記オーバースキャンされた電子ビームを蛍光体スクリーンを除く方向に１次反射させるエレクトロンシールド板とを有し、
前記内部磁気シールド枠体には、水平方向にオーバースキャンされ、前記エレクトロンシールド板で１次反射された電子ビームの少なくとも一部を、そのまま当該内部磁気シールド枠体外へ通過させる通過口が設けられていることを特徴とする陰極線管。
【請求項２】
前記内部磁気シールド枠体は、蛍光体スクリーン側が広がったほぼ中空四角錐台の形状であって、水平偏向方向に対向して配される略台形状の一対の短辺側斜面部と、垂直偏向方向に対向して配される略台形状の一対の長辺側斜面部とを有し、
前記通過口は、前記短辺側斜面部に形成され、前記短辺側斜面部の下辺と上辺の管軸方向における距離をｈ、前記短辺側斜面部の下辺の中点から同辺の両端までの距離をｗとした場合に、
前記通過口の形成される領域が、前記短辺側斜面部の下辺から０．５ｈ以下の範囲内で、かつ、前記短辺側斜面部の下辺の中点から両端方向へ向かって０．８ｗ以上の範囲の大きさであることを特徴とする請求項１に記載の陰極線管。
【請求項３】
前記通過口が形成される領域は、当該短辺側斜面部の下辺の中点から同辺の両端方向へ向かって０．９ｗ以下であることを特徴とする請求項２に記載の陰極線管。
【請求項４】
前記磁気シールド枠体の蛍光体スクリーン側には、その周縁部がフレームで保持された色選別電極が配設され、
前記フレームの少なくとも水平偏向側に存する短辺側フレーム部材は、前記陰極線管の管軸方向の磁気シールド側に厚みを有すると共に、前記磁気シールド枠体の通過口は、前記短辺側斜面部の、水平偏向方向から見て前記短辺側フレーム部材と重なる領域には形成されていないことを特徴とする請求項１から３のいずれかに記載の陰極線管。
【請求項５】
前記通過口は、一または複数の開口部からなり、開口部の形状は、多角形または楕円形であることを特徴とする請求項１から４のいずれかに記載の陰極線管。
【請求項６】
前記通過口は、複数の孔からなり、各孔の形状は円形、楕円形または多角形であることを特徴とする請求項１から４のいずれかに記載の陰極線管。
【請求項７】
前記複数の孔の総面積は、それらが形成されている領域の面積の５０％以上であることを特徴とする請求項６に記載の陰極線管。
【発明の詳細な説明】
【技術分野】
【０００１】
本発明は、テレビジョン、コンピューターディスプレイなどに用いられる陰極線管に関し、特に、表示画面におけるハレーションを低減する技術に関する。
【背景技術】
【０００２】
一般に、陰極線管においては、画面の上下及び左右の端部付近における電子ビームの偏向走査は不安定になりやすい。このため、電子ビームを有効画面領域を超えて偏向させて、電子ビーム走査領域内の周縁部を切り取った部分を有効画面として表示している。（以下、有効画面領域を超えて走査することを「オーバースキャン」と言い、当該有効画面領域を超えて偏向された電子ビームを、「オーバースキャンビーム」と言う。）。
【０００３】
しかしながら、オーバースキャンビームの一部は、内部磁気シールドや色選別電極のフレームなどで反射して、蛍光体スクリーンに到達し、有効画面の一部分において、映し出される映像の色純度が変化する現象が生じ（以下、この現象を「ハレーション」と言う。）、画質が劣化してしまうこととなる。
そこで、ハレーションの発生を防ぐために、いわゆるエレクトロンシールド板を設けてオーバースキャンビームを遮る方法（例えば、特許文献１を参照）が考案されている。
【０００４】
図１３は、当該エレクトロンシールド板を設けた陰極線管の概略構成を示すための、陰極線管の管軸を通る垂直な平面での断面図である。
同図に示すように、陰極線管８００は、前面パネル８０１とファンネル８０２が一体化された外囲器８０３と、前面パネル８０１の内側に形成された蛍光体スクリーン８０４を有し、蛍光体スクリーン８０４に向けて、電子銃８０６から電子ビーム８０７が射出される構成となっている。また、蛍光体スクリーン８０４に対向して、フレーム８１０に架張された色選別電極８０５が設けられると共に、電子ビーム８０７の通過領域を取り囲むように、内部磁気シールド８３０が設置されている。
【０００５】
内部磁気シールド８３０の蛍光体スクリーン８０４側の縁と色選別電極８０５のフレーム８１０との間には、エレクトロンシールド板８２０が設けられている。
このエレクトロンシールド板８２０により、垂直偏向方向におけるオーバースキャンビーム８０７ａがフレーム８１０等に入射するのを遮ることで、ハレーションを起こすことを防止している。
【特許文献１】特開２００１−７６６３９号公報
【発明の開示】
【発明が解決しようとする課題】
【０００６】
ところで、近年のテレビジョンの大型化や薄型化、高輝度化伴って、偏向角の拡大化、電流量の増加が進んでおり、このため、特に水平方向の有効画面外のオーバースキャンされる領域の面積およびこの領域に到達する電子ビームの電流量が増してきている。
このため、上記従来技術におけるエレクトロンシールド板を画面水平方向に用いても、ハレーションが無視できない程度に発生する事態に至っている。
【０００７】
図１４は、有効画面において、ハレーションが起こる領域を示した図である。同図に示すように、上記ハレーションは、特に有効画面の水平方向両端付近の、実線で囲まれた帯状の領域Ａ１，Ａ２において多く起こっている。
このようなハレーションの対策として、エレクトロンシールドの端を折り曲げるなどの案も検討されているが、十分ではなかった。
【０００８】
本発明は、かかる問題点に鑑みてなされたものであって、画面の大型化や薄型化、高輝度化になっても、ハレーションが発生しにくい陰極線管を提供することを目的とする。
【課題を解決するための手段】
【０００９】
上記目的を達成するために、本発明に係る陰極線管は、電子銃から蛍光体スクリーンに向けて射出される電子ビームを、有効画面領域を超えてオーバースキャンさせる陰極線管であって、前記電子ビームの通過領域を囲む内部磁気シールド枠体と、前記オーバースキャンされた電子ビームを蛍光体スクリーンを除く方向に１次反射させるエレクトロンシールド板とを有し、前記内部磁気シールド枠体には、水平方向にオーバースキャンされ、前記エレクトロンシールド板で１次反射された電子ビームの少なくとも一部を、そのまま当該内部磁気シールド枠体外へ通過させる通過口が設けられていることを特徴とする。
【００１０】
また、前記内部磁気シールド枠体は、蛍光体スクリーン側が広がったほぼ中空四角錐台の形状であって、水平偏向方向に対向して配される略台形状の一対の短辺側斜面部と、垂直偏向方向に対向して配される略台形状の一対の長辺側斜面部とを有し、前記通過口は、前記短辺側斜面部に形成され、前記短辺側斜面部の下辺と上辺の管軸方向における距離をｈ、前記短辺側斜面部の下辺の中点から同辺の両端までの距離をｗとした場合に、前記通過口の形成される領域が、前記短辺側斜面部の下辺から０．５ｈ以下の範囲内で、かつ、前記短辺側斜面部の下辺の中点から両端方向へ向かって０．８ｗ以上の範囲の大きさであることを特徴とする。
【００１１】
さらに、前記通過口が形成される領域は、当該短辺側斜面部の下辺の中点から同辺の両端方向へ向かって０．９ｗ以下であることを特徴とする。
また、さらに、前記磁気シールド枠体の蛍光体スクリーン側には、その周縁部がフレームで保持された色選別電極が配設され、前記フレームの少なくとも水平偏向側に存する短辺側フレーム部材は、前記陰極線管の管軸方向の磁気シールド側に厚みを有すると共に、前記磁気シールド枠体の通過口は、前記短辺側斜面部の、水平偏向方向から見て前記短辺側フレーム部材と重なる領域には形成されていないことを特徴とする。
【００１２】
また、前記通過口は、一または複数の開口部からなり、開口部の形状は、多角形または楕円形であることを特徴とする。
また、前記通過口は、複数の孔からなり、各孔の形状は円形、楕円形または多角形であることを特徴とする。
また、さらに、前記複数の孔の総面積は、それらが形成されている領域の面積の５０％以上であることを特徴とする。
【発明の効果】
【００１３】
本発明に係る陰極線管は、内部磁気シールド枠体に、水平方向にオーバースキャンされ、エレクトロンシールド板で１次反射された電子ビームの少なくとも一部を、そのまま当該内部磁気シールド枠体外へ通過させる通過口を設けているので、オーバースキャンビームのうち内部磁気シールド枠体内部で再び反射して蛍光体スクリーンに入射する電子ビームの量が少なくなり、ハレーションを低減させることができる。
【発明を実施するための最良の形態】
【００１４】
（実施の形態１）
以下、図面を参照しながら本発明の実施の形態に係る陰極線管１００の構成を説明する。
図１は、当該陰極線管１００の管軸を通る垂直な平面での断面図である。なお、同図において内部磁気シールド１３０は一部が切り欠かれている。
【００１５】
ここで、本明細書においては、陰極線管１００の管軸をＺ軸、Ｚ軸と水平方向（水平偏向方向）に直交する軸をＸ軸（図１では図示せず。）、Ｚ軸と垂直方向（垂直偏向方向）に直交する軸をＹ軸として、Ｘ-Ｙ-Ｚ直交座標系を定めることとする。また、蛍光体スクリーン１０４側から電子銃１０６を見たときの、Ｘ軸を境界として上下を定義し、Ｙ軸を境界として左右を定義する。
【００１６】
図１に示すように、陰極線管１００は、正面が略長方形をしたパネル１０１とファンネル１０２とが接合されてなるガラス製の外囲器１０３を有する。なお、当該陰極線管１００は３２インチ型、アスペクト比１６：９、最大偏向角１０２°である。
パネル１０１の内面には蛍光体スクリーン１０４が形成されており、ファンネル１０２のネック部１０７には電子銃１０６が封入されている。
【００１７】
蛍光体スクリーン１０４に対向して色選別電極１０５（例えば、シャドウマスク）が設けられている。当該色選別電極１０５は、一定の張力を付与された状態でその端部がフレーム１１０に溶接保持されている。また、フレーム１１０は、支持部材（図示せず）を介してパネル１０１内に懸架保持されている。
電子銃１０６から射出される電子ビーム５は、偏向ヨーク１０８によって上下・左右に偏向され、蛍光体スクリーン１０４上を走査することとなる。
【００１８】
電子ビーム５の通過領域を取り囲むようにして、枠体をした内部磁気シールド１３０が外囲器１０３内に収納されており、当該内部磁気シールド１３０の蛍光体スクリーン１０４側の周縁部には、エレクトロンシールド１２０を介して色選別電極１０５のフレーム１１０が取着される。
内部磁気シールド１３０の水平偏向方向側の短辺側斜面部１３２ａ，１３２ｂには、エレクトロンシールド板１２０で１次反射した水平方向のオーバースキャンビームが通過するための通過口１３６ａ，１３６ｂ（通過口１３６ｂは不図示）がそれぞれ設けられている。
【００１９】
図２は、上記陰極線管内の色選別電極１０５、エレクトロンシールド板１２０、内部磁気シールド１３０からなる組み立て体（以下、「磁気シールド構体」という。）２００の組み立て図である。
色選別電極１０５は、画素に対応して微小な孔（不図示）が多数穿設された金属薄板かからなり、フレーム１１０によりＹ軸方向に所定の張力を加えられた状態で保持されている。このフレーム１１０は、所定距離だけ離間してＸ軸に平行に配置された一対の長辺フレーム１１１ａ，１１１ｂと、Ｙ軸に平行に配置された一対の短辺フレーム１１２ａ，１１２ｂから構成される。
【００２０】
長辺フレーム１１１ａ，１１１ｂは、断面が中空の三角柱状であり、短辺フレーム１１２ａ，１１２ｂは、断面が略コ字状である。
長辺フレーム１１１ａ，１１１ｂの各端部に短辺フレーム１１２ａ，１１２ｂの各端部を載せて溶接することによって略矩形状のフレーム１１０が形成される。
エレクトロンシールド板１２０は、一対の長辺シールド板１２１ａ，１２１ｂと、一対の短辺シールド板１２２ａ，１２２ｂとからなる。
【００２１】
このエレクトロンシールド板１２０は、オーバースキャンビームを蛍光体スクリーンを除く方向に反射させることによって、当該ビームがフレーム等に反射して、蛍光体スクリーンに到達することを防ぐものである。
内部磁気シールド１３０は、ほぼ四角錐台形状の中空枠体であって、対向する略台形状の長辺側斜面部１３１ａ，１３１ｂと、対向する略台形状の短辺側斜面部１３２ａ，１３２ｂとを有し、これらを接合することで構成される。また、長辺側斜面部１３１ａ，１３１ｂのフレーム側の辺からは、長辺スカート１３３ａ，１３３ｂが延出されており、短辺側斜面部１３２ａ，１３２ｂのフレーム側の辺からは、短辺スカート１３４ａ，１３４ｂ（短辺スカート１３４ｂは不図示）が延出されている。さらに、短辺側斜面部１３２ａ，１３２ｂには、それぞれ後述する所定の位置に開口部１３６ａ，１３６ｂが設けられている。短辺側斜面部１３２ｂにおける開口部１３６ｂは、図面上は見えにくい位置にあるが、短辺側斜面部１３２ａにおける開口部１３６ａと同様に設けられている。
【００２２】
内部磁気シールド１３０は、電子ビームの通過領域を取り囲むことで、その軌道に地磁気などの外部磁界が及ぶことを防止している。電子ビームに外部磁界が作用すると、蛍光体上の所望の位置に到達しないミスランディングが生じ、カラー陰極線管においては、色ずれを起こしてしまうからである。
短辺スカート１３４ａ，１３４ｂは短辺シールド板１２２ａ，１２２ｂと短辺フレーム１１２ａ，１１２ｂの隙間にそれぞれ挿入される。そして、長辺フレーム１１１ａ，１１１ｂ上の接合箇所１１５、長辺シールド１２１ａ，１２１ｂ上の接合箇所１２５、内部磁気シールド１３３ａ，１３３ｂ上の接合箇所１３５でクリップで繋留されて、図３に示すような磁気シールド構体２００が形成される。
【００２３】
図４は、内部磁気シールド１３０をＸ軸の正方向から見たときの側面図である。同図に示すように、本明細書においては、略台形状をした短辺側斜面部１３２ａの、蛍光体スクリーン側の辺を下辺、電子銃側の辺を上辺と定義する。また、短辺側斜面部１３２ａの下辺から上辺までのＺ軸方向における高さをｈ、Ｙ軸方向における当該下辺の中点から同辺の両端点までの距離をそれぞれｗと定義する。
【００２４】
短辺側斜面部１３２ａには、下辺からほぼ０．１３ｈの位置に０．１５ｈの高さで、かつ当該下辺の中点から両端方向へ０．９０ｗの幅の開口部１３６ａが設けられている。もう一方の短辺側斜面部１３２ｂの開口部１３６ｂについても同様である。
上記のように短辺側斜面部１３２ａ、１３２ｂに開口部１３６ａ、１３６ｂを設けた内部磁気シールド１３０によれば、有効画面におけるハレーションを低減することができる。このことを、図５を参照しながら説明する。
【００２５】
図５は、図３におけるVI−VI線を含みＸ−Ｚ平面と平行な平面における短辺シールド板１２２ａ付近の矢視断面図である。短辺シールド板１２２ａで一度反射したオーバースキャンビーム５は、従来であれば内部磁気シールド１３０にぶつかって再度反射し、蛍光体スクリーンの有効画面領域内に到達していたと思われる。しかし、本発明では、内部磁気シールド１３０の短辺側斜面部１３２ａに開口部１３６ａが設けられているため、有効画面領域外に偏向され、短辺シールド板１２２ａで一度反射したオーバースキャンビーム５の多くを、短辺側斜面部１３２ａで再反射させることなく、そのまま内部磁気シールド１３０の枠外へ通過させることができ、これによりハレーションによる画質の劣化を防ぐことができる。
【００２６】
次に、短辺側斜面部１３２ａ、１３２ｂにおける開口部１３６ａ、１３６ｂを設ける適切な領域について実験に基づき説明するが、内部磁気シールド１３０は、左右対称であり、開口部１３６ａ，１３６ｂは、短辺側斜面部１３２ａ，１３２ｂにおいてそれぞれ同様に設けられているため、以下では、一方の短辺側斜面部１３２ａにおける開口部１３６ａについてのみ説明して、他方の開口部１３６ｂについての説明は省略する。
【００２７】
(１）開口部１３６ａの幅について
図６は、磁気シールドの構成によるハレーションへの影響を調べるために、輝度を測定した位置を示す図である。
ハレーションの程度を調べるに当たっては、暗室において、有効画面領域の垂直径とほぼ同じ高さ、水平径の１０％の幅の帯状画像（電流値４００ｍＡ）を有効画面のＸ軸方向右端部（Ｘ座標＝３５６）のすぐ外側へ隣接するよう移動させておいて、直接的には電子ビームが有効画面領域内には到達せず有効画面の右外側へ到達している状態にして、各位置での輝度を測定した（このときの輝度値を「ハレーション輝度」と定義する。）。このようにすることで、オーバースキャン時にどの程度のハレーションが有効画面内に現れるかを知ることができる。
【００２８】
測定位置は、有効画面の中心点（ＸＹ座標で表すと、（Ｘ，Ｙ）＝（０，０））からＸ軸方向の画面右方向に２６０ｍｍ離れた位置（２６０，０）を始点として、Ｙ軸方向の画面上方向へ２０ｍｍ毎の位置とした。前述のように、本実施の形態における陰極線管は、３２インチ型、アスペクト比１６：９であるから、（２６０，２００）の位置は有効画面の上端と略一致する。これらの位置において測定したのは、従来の開口部を設けない内部磁気シールドでは、特に式Ｘ＝２６０で示される線を含む近辺の領域においてハレーションが発生していたためである（図１４、領域Ａ２参照。）。
【００２９】
図７は、開口部１３６ａのＺ軸方向における開口範囲を下辺から０．１３ｈの位置から０．１５ｈの高さ方向の幅として（図４参照）、Ｙ軸方向における下辺の中点から両端方向への開口部１３６ａの幅（以下、単に「開口部の２分の１幅」と言う）を変化させた場合の測定結果を示すグラフであり、横軸が、測定点の位置、縦軸が各測定点におけるハレーション輝度の値を示す。また、実線、破線、一点鎖線などの各グラフ線は、図の左下の各条件に対応した測定結果を示す。
【００３０】
同グラフに示すように、開口部１３６ａを設けたことによって、開口部がない場合（細線の実線）よりもハレーション輝度が大きく低減している。また、（２６０，０）から（２６０，６０）までの測定位置においては、開口部１３６ａの２分の１幅に関わらずハレーション輝度がほぼ等しいが、（２６０，８０）から（２６０，２００）までの位置においては、開口部１３６ａの２分の１幅が大きくなるに連れて、ハレーション輝度が低減していることがわかる。
【００３１】
図８は、上記図７の測定結果から求めた、１１個のハレーション輝度の中で最も大きい値（以下、「ハレーションピーク輝度」という。）と、開口部１３６ａの２分の１幅の関係を示すグラフである。
同グラフに示すように、開口部１３６ａの２分の１幅が０．８０ｗ以上である場合にハレーションピーク輝度が０．２０［Ｃｄ／ｍ2］を下回っている。一般に、ハレーションが視認できる程度の輝度の目安は０．２０［Ｃｄ／ｍ2］である。従って、開口部１３６ａの２分の１幅が０．８ｗ以上である場合に、特に顕著にハレーション防止効果があるといえる。
(２）開口部１３６ａの高さ方向の幅について
続いて、Ｙ軸方向の開口部１３６ａの２分の１幅を０．５ｗで固定して、当該下辺から０．１３ｈの位置より設ける開口部１３６ａの高さ方向（Ｚ軸方向）の幅（以下では、単に「高さ」という。）を変化させて、上記の測定と同様の位置でハレーション輝度を測定した。ここで、２分の１幅を０．５ｗで固定したのは、図７の実験結果において、２分の１幅がこの値の場合にハレーションピーク輝度が一番ダイナミックに変化するため、ハレーションピーク輝度と開口部１３６ａの高さとの相関関係を理解しやすいからである。
【００３２】
図９は、この測定結果から求めたハレーションピーク輝度と、開口部１３６ａの高さの関係を示すグラフである。
同図に示すように、開口部１３６ａの高さが、０からほぼ０．３ｈまでの間は、ハレーション輝度が低減し、ほぼ０．３ｈを超えるとハレーションピーク値が安定していることが分かる。
【００３３】
なお、同グラフの実験では、開口部の２分の１幅を０．５ｗとしたため、開口部の高さをいくら大きくしてもハレーションピーク輝度は０．２０［Ｃｄ／ｍ2 ］以下となることはないが、２分の１幅が０．８ｗのときには、当該高さが最低０．１２ｈあれば、ハレーションピーク輝度も０．２０［Ｃｄ／ｍ2 ］以下となることが、実験により確認されている。
【００３４】
以上の実験から、開口部１３６ａの２分の１幅と高さが大きくなるほど、ハレーションを低減する効果が得られることが分かる。もっとも、開口部１３６ａを設けることにより、内部磁気シールドの機械的な強度が低下してしまうため、下辺から０．５０ｈ以下の範囲で、かつ、前記短辺側斜面部の下辺の中点から両端方向へ０．９０ｗ以下の範囲内の所定領域に、開口部１３６ａを設けることが好ましい。
【００３５】
なお、短辺側斜面部１３２ａと同様に、短辺側斜面部１３２ｂにおいて開口部１３６ｂを設けることで、特に領域Ａ１（図１４）におけるハレーションが防止できることはいうまでもない。
また、本実施例では開口部１３６ａの形状を長方形としたが、このような形状に限定されず、例えば、楕円形や三角形であっても構わない。また、開口部１３６ａを、山型部分を短辺側斜面部の上辺へ向けたホームベース状の五角形にすることで、有効画面中央付近でのハレーションが特に防止できることも実験で確認した。また、さらに、短辺シールド板１２２ａ（図２参照）の先端を所定の角度で電子銃側方向へ折り曲げて延長することで、より一層ハレーションの発生が低減されることも実験で確認した。
【００３６】
次に、図５，図４を参照しながら、短辺側斜面部１３２ａの下辺から０．１３ｈの範囲に開口部１３６ａを設けていない点について説明する。
図５に示すように、短辺側斜面部１３２ａの、短辺フレーム１１２ａの管軸（Ｚ軸）方向の電子銃側の位置より下辺側の部分においては、仮に開口部１３６ａを設けたとしても、短辺シールド１２２ａで反射された電子ビーム５が短辺フレーム１１２ａで２次反射してしまい、本発明の企図する効果が得られない。また、内部磁気シールド１３０の機械的な強度を保ち、フレーム１１０と内部磁気シールド１３０を安定して固定するためには、この部分には開口部１３６ａを設けない方が良い。
【００３７】
そこで、図４に示すように、短辺フレーム１１２ａの、管軸方向に下辺側の部分に相当する下辺から０．１３ｈまでの位置においては開口部１３６ａを設けていないのである。
なお、図５に示すように、本実施の形態においては、垂直偏向方向から見て、短辺側斜面部１３２ａの下辺と、短辺フレーム１１２ａのシャドウマスク１０５側の端部が略一致しているが、両辺が一致しない構成の場合においては、水平偏向方向から見て、短辺側斜面部１３２ａと短辺フレーム１１２ａが重なる領域に開口部１３６ａを形成しない構成とすればよい。
【００３８】
（実施の形態２）
上記の実施の形態１においては、一つの開口部を設ける構成としたが、内部磁気シールドの機械的な強度を保つためには、開口を設ける面積を少なくする方が好ましい。
そこで、本実施の形態では、実施の形態１と同様の領域において、複数の孔を設けることにより一次反射したオーバースキャンビームの通過口を形成している。本実施の形態の陰極線管は、内部磁気シールドに一つの開口部ではなく複数の孔を設ける以外は、実施の形態１と基本的に同じであるので、共通部分の説明は省略し、異なる部分を中心に説明する。
【００３９】
図１０は内部磁気シールド１３０の側面図である。
図１０に示すように、本実施の形態では、複数の円形の孔１３８が、短辺側斜面部１３２ａの下辺から０．１３ｈ〜０．５０ｈの範囲で、かつ、当該下辺の中点から両端方向へ０．９０ｗの幅の範囲内の領域において等間隔に設けられている。なお同図においては、図面が煩雑になるのを避けるため、孔の数を簡略化している。
【００４０】
本実施の形態においては、複数の小さな孔１３８を設けているので、ひとつの大きな開口部１３６ａを設けた場合（図４参照。）に比べて、内部磁気シールドの機械的強度をそれほど低下させることなく、ハレーションを防止できる。
なお、本実施の形態では、孔の形成領域の面積に対する、複数の円形の孔１３８の開口総面積の比率（以下、この比率を単に「開口比率」と言う。）は７０％程度に設定されている。
【００４１】
このような複数の孔１３８を設ける望ましい領域も、上記実施の形態１で述べた開口部を設ける場合とほぼ同様に考えることができるが、ただ、その孔１３８の開口比率があまり低いと通過するオーバースキャンビームの量も少なくなりハレーション抑制の効果が低下する。そこで、次に、孔１３８を設ける適切な開口比率を調べるために、孔１３８のピッチを変えることによって開口比率を変化させて、開口比率とハレーションピーク輝度の関係を調べる実験を行った。
【００４２】
図１１は、上述の図１０に示す領域に複数の孔１３８を形成した場合において、開口比率とハレーションピーク輝度の関係を表すグラフである。
同グラフからも明らかなように、開口比率が高いほどハレーション抑制の効果が表れており、特に、この比率がほぼ５０パーセント以上の範囲では、ハレーションピーク輝度が、視認できる程度の輝度の０．２０［Ｃｄ／ｍ2］を下回っており、効果が顕著に表れていることがわかる。
【００４３】
この実験結果から、多数の孔でオーバースキャンビームの通過口を形成する場合には、その開口比率は５０％以上であることが望ましいといえる。
なお、開口比率の上限の値は、当該孔の形状、大きさ、およびピッチよって決まる。また、本実施の形態においては円形の孔１３８を等ピッチで形成したが、このような態様に限定されず、孔のピッチを不規則にしてもよいし、一つの孔の形状を楕円、または長方形、角形などの多角形にしてもかまわない。
【００４４】
（変形例）
以上、本発明を実施の形態に基づいて説明してきたが、本発明は上記した実施の形態に限らないことは、もちろんであり、例えば、以下のような形態とすることもできる。
上述の実施の形態１では、開口部を一つ設ける構成としているが、開口部を複数設ける構成としても構わない。例えば、図１２に示すように、短辺側斜面部１３２ａの下辺から０．１３ｈの位置から０．３０ｈの高さ方向の幅で、かつ当該下辺の中点から０．０５ｗの位置から０．８０ｗの幅の開口部１３６ｃ，１３６ｄを、当該底辺の中点を通る軸と対称に設ける構成としてもよい。このように開口部を２つ設けることで、一つの大きな開口部を設ける場合に比べて、内部磁気シールド１３０の機械的強度をそれほど低下させずに、ハレーションを低減することが可能となる。但し、１３６ｃと１３６ｄの間の幅は、あまり大きくならない方が望ましいことはいうまでもない。
【００４５】
なお、開口部をさらに複数に分割することも可能であるが、この場合には実施の形態２の構成に近付くことになる。そうすると、一つの「開口」が実施の形態１における「開口部」であるか実施の形態２の「孔」に該当するかは、相対的な概念であって、結局、当該一つの「開口」の面積の、短辺側斜面部の面積に対する比率によって常識的、経験的に判断され、例えば、当該比率が、約２％以下になったとき、「孔」であると判断される。
【００４６】
また、上記各実施の形態においては、シャドウマスクが張力を付与された状態でフレームに溶接保持された、いわゆるテンション方式シャドウマスクを例に挙げて説明したが、本発明は、シャドウマスクがドーム状に成型された状態でフレームに保持される、いわゆるドーム状シャドウマスクにも適用可能である。
【産業上の利用可能性】
【００４７】
本発明にかかる陰極線管は、ハレーションの発生の低減を必要とする陰極線管に適用できる。
【図面の簡単な説明】
【００４８】
【図１】実施の形態１に係る陰極線管の断面図である。
【図２】実施の形態１に係る磁気シールド構体の分解斜視図である。
【図３】実施の形態１に係る磁気シールド構体の斜視図である。
【図４】実施の形態１に係る短辺側斜面部を示す図である。
【図５】図３のＶＩ−ＶＩ線における矢視断面図である。
【図６】ハレーション輝度の測定位置を説明するため図である。
【図７】測定位置とハレーション輝度の関係を示すグラフである。
【図８】開口部の２分の１幅とハレーションピーク輝度の関係を示すグラフである。
【図９】開口部の高さとハレーションピーク輝度の関係を示すグラフである。
【図１０】実施の形態２に係る短辺側斜面部を示す図である。
【図１１】実施の形態２に係る有孔面積比率とハレーションピーク輝度の関係を示すグラフである。
【図１２】変形例に係る短辺側斜面部を示す図である。
【図１３】従来の陰極線管の概略構成を示す断面図である。
【図１４】従来の陰極線管の有効画面において、特にハレーションが起こる領域を示す図である。
【符号の説明】
【００４９】
５                      電子ビーム
１００                      陰極線管
１０４                      蛍光体スクリーン
１０５                      色選別電極
１０６                      電子銃
１１０                      フレーム
１２０                      エレクトロンシールド板
１２２ａ，１２２ｂ          短辺シールド板
１３０                      内部磁気シールド
１３１ａ，１３１ｂ          長辺側斜面部
１３２ａ，１３２ｂ          短辺側斜面部
１３６ａ〜１３６ｄ          開口部
１３８                      孔
【図１】
2005158468.tif 000003
【図２】
2005158468.tif 000004
【図３】
2005158468.tif 000005
【図４】
2005158468.tif 000006
【図５】
2005158468.tif 000007
【図６】
2005158468.tif 000008
【図７】
2005158468.tif 000009
【図８】
2005158468.tif 000010
【図９】
2005158468.tif 000011
【図１０】
2005158468.tif 000012
【図１１】
2005158468.tif 000013
【図１２】
2005158468.tif 000014
【図１３】
2005158468.tif 000015
【図１４】
2005158468.tif 000016